【事件の表示】
　特許第２７９１９４７号「熱交換式除湿装置」の請求項１ないし３に係る特許に対する特許異議の申立てについて、次のとおり決定する。
【結論】
　訂正を認める。
　特許第２７９１９４７号の請求項１ないし３に係る特許を維持する。
【理由】
１．手続きの経緯
　本件特許第２７９１９４７号に係る発明についての出願は、平成８年５月３１日に特許出願され、平成１０年６月１９日にその発明について特許の設定登録がなされ、その後、その特許について異議申立人・中村登志子による特許異議の申立てがなされ、当審よりの取消理由通知がなされ、それに対しその指定期間内である平成１１年７月２日に訂正請求がなされたものである。
２．訂正の適否についての判断
（１）訂正の内容
　特許権者が求めている訂正の内容は、次のとおりである。
　イ．特許請求の範囲の請求項２に記載の「前記顕熱ローターエレメントが、前記再生室の外気取込口から取入れられた空気を通過する際に、該エレメントに蓄熱する一方、該エレメントは、熱を奪われた分だけ、その周囲の温度を低下させ」を「前記顕熱ローターエレメントは、前記再生室の外気取込口から取入れられた空気が通過する際に、該エレメントから放熱する一方、該エレメントは、熱を奪われた分だけ、その周囲の温度を上昇させ」に訂正する。
　同請求項２に記載の「該再生室内の空気の温度により、該エレメントに付着する湿気（水分）を蒸発させて、周囲の空気を低湿にする」を「該再生室内の空気の温度により、該エレメントに付着する湿気（水分）を蒸発させて、周囲の空気を高湿にする」に訂正する。
ロ．発明の詳細な説明の段落【００１４】に記載の「また、本願請求項２に記載の熱交換式除湿装置は、請求項１に記載の熱交換式除湿装置に係り、前記潜熱交換器は、前記処理室と前記再生室に渡って回転可能に設けられた除湿ローターエレメントを有し、前記顕熱交換器は、前記前記処理室と前記再生室に渡って回転可能に設けられた顕熱ローターエレメントを有し、前記顕熱ローターエレメントが、前記再生室の外気取込口から取入れられた空気を通過する際に、該エレメントに蓄熱する一方、該エレメントは、熱を奪われた分だけ、その周囲の温度を低下させ、その後、前記顕熱ローターエレメントの熱を奪われた部分が、回転して、処理室内に移動した際には、処理室内の空気から熱を奪い、処理室内の空気の温度を低下させ、一方、前記潜熱交換器の前記除湿ローターエレメントが、前記処理室を通過する際には、該処理室内の空気から、その湿気（水分）を該エレメントに吸湿させ、周囲を乾燥した空気とする一方、該エレメントが、前記再生室を通過する際には、該再生室内の空気の温度により、該エレメントに付着する湿気（水分）を蒸発させて、周囲の空気を低湿にするようにしたことを特徴とする。」を「また、本願請求項２に記載の熱交換式除湿装置は、請求項１に記載の熱交換式除湿装置に係り、前記潜熱交換器は、前記処理室と前記再生室に渡って回転可能に設けられた除湿ローターエレメントを有し、前記顕熱交換器は、前記前記処理室と前記再生室に渡って回転可能に設けられた顕熱ローターエレメントを有し、前記顕熱ローターエレメントは、前記再生室の外気取込口から取入れられた空気が通過する際に、該エレメントから放熱する一方、該エレメントは、熱を奪われた分だけ、その周囲の温度を上昇させ、その後、前記顕熱ローターエレメントの熱を奪われた部分が、回転して、処理室内に移動した際には、処理室内の空気から熱を奪い、処理室内の空気の温度を低下させ、一方、前記潜熱交換器の前記除湿ローターエレメントが、前記処理室を通過する際には、該処理室内の空気から、その湿気（水分）を該エレメントに吸湿させ、周囲を乾燥した空気とする一方、該エレメントが、別記再生室を通過する際には、該再生室内の空気の温度により、該エレメントに付着する湿気（水分）を蒸発させて、周囲の空気を高湿にするようにしたことを特徴とする。」に訂正する。
　同発明の詳細な説明の段落【００２４】中の「上部を通過すると、この空気から、前記顕熱ロータエレメント」を「上部を通過すると、この空気が、前記顕熱ロータエレメント」に訂正する。
ハ．発明の詳細な説明の段落【００２７】中に記載の「この高温、低湿度の空気によって、空気の熱が、ロータエレメント１５ａに吸熱され、ロータエレメント１５ａの温度が高まる一方」を「この高温、低湿度の空気によって、空気の熱が、ロータエレメント１４ａに吸熱され、ロータエレメント１４ａの温度が高まる一方」と、符号について訂正する。
　同発明の詳細な説明の段落【００２８】中に記載の「冷却器１０」を「冷却器６」と、符号について訂正する。
（２）訂正の目的の適否および拡張・変更の存否
イ．について
願書に添付した明細書（以下、特許明細書という）の発明の詳細な説明の段落【００１６】中に、「除湿ロータエレメントに吸湿された水分は、蒸発して除湿ロータエレメント外に吹き出され再生空気排出ファンより熱交換式除湿装置外に排出され、同時に、除湿ロータエレメントは高熱を得る。」と記載され、また、同発明の詳細な説明の段落【００２１】中に、「また、前記再生室７は、前記処理室４との間で、空気中の水分の授受を行い」と記載され、また、同発明の詳細な説明の段落【００２４】中には、「前記再生室７の外気取込口９から取入れられた空気（常温常湿の空気で、仮に、１図に表示するように、３２℃、２１．２３ｇ／ｋｇの空気であったとすると）が、前記顕熱ロータエレメント１４ａの上部を通過すると、この空気から、前記顕熱ロータエレメント１４ａの通過の際に、該顕熱ロータエレメント１４ａから熱を奪い、通過後の空気は、５４℃、２１．２３ｇ／ｋｇの高温の空気となる。一方、前記顕熱ロータエレメント１４ａは、前記、熱を奪われた分、その分だけ温度が下がる。」と記載され、更に、同発明の詳細な説明の段落【００２５】中には、「そして、前記加熱器１０で加熱された空気（１４０℃、２１．２３ｇ／ｋｇ）は、前記潜熱交換器１５の除湿ロータエレメント１５ａを通過する際に、該エレメント１５ａに熱を奪われ、通過後の空気は、５１℃、４４．８１ｇ／ｋｇの空気となり」と記載されているから、上記訂正は、特許請求の範囲の請求項２に記載の発明の構成を特許明細書の発明の詳細な説明の記載に整合させて明瞭にしたものと言える。
　したがって、上記訂正は、特許明細書に記載された事項の範囲内において訂正するもので、明瞭でない記載の釈明を目的とするものであり、実質上特許請求の範囲を拡張し、変更するものでもない。
　ロ．について
　上記各訂正は、先の「イ．について」の項で述べた発明の詳細な説明中に記載の事項に整合させて、同段落【００１４】の記載を明瞭にしたものと言える。
　したがって、上記訂正は、特許明細書に記載された事項の範囲内において訂正するもので、明瞭でない記載の釈明を目的とするものであり、実質上特許請求の範囲を拡張し、変更するものでもない。
　ハ．について
　上記訂正は、発明の詳細な説明中の段落【００２４】，段落【００２７】，段落【００２８】および図面第１図，第２図の記載からみて、明らかに誤記の訂正を目的とするものであり、実質上特許請求の範囲を拡張し、変更するものでもない。
（３）むすび
　以上の通りであるから、上記訂正は、特許法第１２０条の４第２項の規定および同条第３項において準用する第１２６条第２項および同条第３項の規定に適合するので、当該訂正を認める。
３．特許異議の申立てについての判断
（１）本件発明
　平成１１年７月２日付けで提出された訂正明細書の特許請求の範囲の請求項１乃至請求項３に係る発明は、該明細書および図面の記載からみて、その特許請求の範囲の請求項１乃至請求項３に記載された事項によって特定される次の通りのものと認める。
「【請求項１】外気を取り入れ、除湿された空気を排出する除湿装置において、外気を取入れる空気取込口と、所定の除湿を行う潜熱交換器と、所定の熱交換を行う顕熱交換器と、前記顕熱交換器を通過した処理済空気を冷却する冷却装置と、この除湿され、かつ、冷却された空気を船舶のタンク等に送り込む給気口とを有する処理室と、空気再生用の外気を取入れる外気取込口と、前記処理室内の空気との間で熱交換を行う顕熱交換器と、該顕熱交換器を経た空気に所定の加熱をする加熱装置と、その加熱された空気を、前記処理室内の空気との間で除湿、熱交換を行う潜熱交換器と、除湿、熱交換の結果、湿気を含む空気を排出する再生空気排出口とを有する再生室とからなることを特徴とする熱交換式除湿装置。
　【請求項２】前記潜熱交換器は、前記処理室と前記再生室に渡って回転可能に設けられた除湿ロー夕ーエレメントを有し、前記顕熱交換器は、前記前記処理室と前記再生室に渡って回転可能に設けられた顕熱ローターエレメントを有し、前記顕熱ローターエレメントは、前記再生室の外気取込口から取入れられた空気が通過する際に、該エレメントから放熱する一方、該エレメントは、熱を奪われた分だけ、その周囲の温度を上昇させ、その後、前記顕熱ローターエレメントの熱を奪われた部分が、回転して、処理室内に移動した際には、処理室内の空気から熱を奪い、処理室内の空気の温度を低下させ、一方、前記潜熱交換器の前記除湿ローターエレメントが、前記処理室を通過する際には、該処理室内の空気から、その湿気（水分）を該エレメントに吸湿させ、周囲を乾燥した空気とする一方、該エレメントが、前記再生室を通過する際には、該再生室内の空気の温度により、該エレメントに付着する湿気（水分）を蒸発させて、周囲の空気を高湿にするようにしたことを特徴とする請求項１に記載の熱交換式除湿装置。
　【請求項３】外気を取り入れ、除湿された空気を排出する除湿装置において、外気を取入れる空気取込入口と、所定の除湿を行う潜熱交換器と、前記潜熱交換器を通過した処理済空気を冷却する冷却装置と、この除湿され、かつ、冷却された空気を船舶のタンク等に送り込む給気口とを有する処理室と、空気再生用の外気を取入れる外気取込口と、該取入れた外気に所定の加熱をする加熱装置と、その加熱された空気を、前記処理室内の空気との間で除湿、熱交換を行う潜熱交換器と、除湿、熱交換の結果、高温で、かつ、湿気を含む空気を排出する再生空気排出口とを有する再生室と、前記空気再生用の外気を取入れる外気取込口に設けられた該外気と、前記再生空気排出口から排出される高温で、かつ、湿気を含む空気との間で熱交換を行う直交型熱交換器とを有することを特徴とする熱交換式除湿装置。」
（２）申立ての理由
　これに対して、特許異議申立人は、
（イ）本件の特許請求の範囲の請求項１および請求項２に係る各発明は、その出願前に頒布された刊行物である甲第１号証および甲第２号証に記載の発明と同一と認められ、特許法第２９条第１項第３号に該当し、特許を受けることができないし、また、同甲第１号証および同甲第２号証に記載された発明に基づいて当業者が容易に発明をすることができたものと認められ、特許法第２９条第２項の規定により特許を受けることができない、
（ロ）本件の特許請求の範囲の請求項３に係る発明は、その出願前に頒布された刊行物である甲第３号証および甲第４号証に記載された発明に基づいて当業者が容易に発明をすることができたものと認められ、特許法第２９条第２項の規定により特許を受けることができない、旨主張している。
（３）甲各号証に記載の事項
　特許異議申立人の提出した前記甲第１号証の刊行物である米国特許第３１４４９０１号明細書には、「第２図に図解されているように、ホイール１０の右手側１０ａは、水分の含有量と相対湿度を低い値に減らするため、そこを通って流れる状態の空気から湿気を吸収する。熱移転ホイール１１の側１１ａは、空調すべき空気から顕熱を吸収する。ホイール１１によって吸収される熱の少なくとも一部は、空気から湿気の吸収によって顕熱に転換された凝縮潜熱である。相対的に乾燥し、部分的に冷却された空気は、次にホイール１２の側１２ａを流れ、そこで水分は空気をより冷却するため空気中に蒸発される。そして望ましい快適な状態にその湿度を調節する。同時にホイール１２の側１２ｂを通過する外気は、ホイールから蒸発した水分を含まされ、それは外気をその湿球温度に近い温度に冷却する。熱移転ホイール１１の側１１ｂを通過する冷えた外気はホイールを冷却し、ホイールの他の側１１ａで吸収された熱を取り去る。それから熱せられた外気は、ホイール１０と１１の側１０ｂと側１１ｂとの間の加熱器１６によって一層高い温度に加熱される。湿気移転ホイール１０の側１０ｂを通った高温の外気の流れは、ホイールの反対側１０ａで吸収された水分を取り去ることによって湿気移転ホイールを再生する。」（第３欄５６行〜第４欄５行）点が記載されている。そして、図面第１図には空調装置の斜視図が、第２図には模式図が、第３図乃至第６図には空調装置の正面図，縦断面図，横断面図がそれぞれ示されている。
　また、前記甲第２号証の刊行物である米国特許第５１７０６３３号明細書には、「概して、調節されるべき空間とは、オフィスビル，食料品店または冷却された空気の供給が必要なその他の場所である。この調節されるべき空間に向け、熱と湿気の両方が空気の流れに加えられる。この空間の出口において処理空気の一部が排出され、一部が再循環される。再循環空気の流れ１１は外気１０と混合され、処理空気の流れ１４となる。排出される空気の量と導入される外気の量は、このシステムを通過する一定の空気の流量を維持するため同量である。」（第７欄１６〜２７行）、［従来技術の第４図は、典型的な乾燥装置に基づく空調システムの概略図である。前に述べたように、典型的なシステムは乾燥ホイール８６，空気−空気熱交換器８８，間接蒸発冷却器９０，直接蒸発冷却器９２、そして加熱器７８から成る。処理空気８４は、一般的に外気８０と再循環空気８２から成る。処理空気８４は最初に乾燥ホイール８６を通り、そこで減湿され熱せられる。乾燥ホイール８６を離れて、８７の処理空気は空気−空気熱交換器８８を通り、そこで処理空気から熱の一部を再生空気の流れ７０に移す。空気−空気熱交換器８８の出口で、処理空気８９は間接蒸発冷却器９０を通ることによって冷却され、それから直接蒸発冷却器９２を通ることによって一層冷却され加湿される。直接蒸発冷却器９２を離れて、９３の処理空気は十分調節され、冷却される空間に供給される。冷却される空間において処理空気は熱と湿気の量が増加し、そして９５に出る。処理空気の一部は９６から排出され、残りの処理空気は流れ８２のように再循環される。更に従来技術の第４図にあげたように再生空気流７０は外気から成り、最初に空気−空気熱交換器８８を通り、そこで処理空気から熱を取り出す。空気−空気熱交換器８８の出口で７２の再生空気流は加熱器７８を通ることによって一層熱せらる。加熱器７８の出口において再生空気流７４は再生機能を可能にするものであって、乾燥ホイール８６を通される。そしてそこで乾燥ホイール８６から湿気を蒸発させる。乾燥ホイール８６の出口で再生空気流７６は排気される。」（第９欄６４〜第１０欄３０行）点がそれぞれ記載されている。そして、図面第４図には、従来技術である空調システムの概略図が示されている。
　また、前記甲第３号証の刊行物である米国特許第２９２６５０２号明細書には、「第２図とその対応する湿り空気線図である第９図に示された具体化のものの中で、前述の加湿は、室内空気によって第１湿気交換器１４内で一部実行される。そしてその室内空気は、経路の二つの段階の間で湿気を交換する。湿気は経路１２を流れる室内空気から除去しなければならないので、湿気の除去は第２の湿気交換器８６で行われる。」（第５欄３２〜４０行）、「その後、室内空気は交換器１６を通過し、そこで該空気は経路９０内のブロア３８によって送り込まれた外気によって冷却される。」（第５欄５０〜５３行）、「それから、室内空気は湿気交換器１４に送り続けられ、そしてよく知られた型の蒸発パッドを最後に通過するため状態８９に至る。その中で含浸されている水は、空気中に蒸発する。」（第５欄５７〜６０行）、「弁９２は、経路９０と熱交換器１６の下流中に配置され、その弁９２を通って経路９０中の予め決められた量の空気は、出口９３を通って大気に排出される。この部分の量は、ブロア３８によって取り入れられた外気の約半分の量である。外気の残りは、熱交換器９４，加熱器９５，湿気交換器８６を通過し、最後に再び熱交換器９４を通過して大気に排出される。」（第５欄７０行〜第６欄３行）点がそれぞれ記載されている。そして、図面第２図には空調システムの経路図が、第９図にはそれに対応する空気線図がそれぞれ示されている。
　更に、前記甲第４号証の刊行物である米国特許第５３２７７３９号明細書には、「乾燥室１４は、所定量の乾燥剤が詰められている。大気が乾燥剤を通過すると、それは湿気の一部を失う。それと同時にその温度は蒸発凝縮熱のため上昇する。熱い乾いた空気は、乾燥室１４を出て経路１８に入る。第２領域では、該熱い乾いた空気は経路１８を通って、熱交換器２０を通過することによって、大気に近い温度に冷却される。次に、熱交換器を出た経路２２内の冷却された乾いた空気は、第３領域を通過する。そこでそれは、加湿器２４によって加湿される。冷却され、加湿器を出て経路２６に入った加湿された空気は適正に調節され、運転室２８である第４領域に排出される。帰還サイクルで、排出空気は運転室２８から出て経路３０に入り、加湿器３２によって加湿される。加湿された排出空気は経路３４を通って、熱交換器２０を通過し、そこで経路１８から入ってくる、熱い乾いた空気を冷却する。次に、排出空気は熱交換器２０から経路３６に沿って、ファン３８の助けをかり流される。」（第３欄３６〜５６行）、「熱交換器２０は、第４図に示されるように、コンパクトな直交流型である。」（第５欄３６〜３７行）点がそれぞれ記載されている。そして、図面第１図には車輌の空調機における空気の流れの経路図が、第４図には熱交換器の斜視図がそれぞれ示されている。
（４）対比・判断
　そこで、特許異議申立人の主張について検討する。
（イ）について
　本件の特許請求の範囲の請求項１に係る発明と前記甲第１号証および甲第２号証の各刊行物に記載のものとを比較すると、本件の特許請求の範囲の請求項１に係る発明においては、その発明の属する技術分野は、特許明細書の発明の詳細な説明中の段落【０００１】に記載されているように、「船内船艙の塗装工事に係る温度と湿度を管理する熱交換式除湿装置に関する」というもので、より具体的には同段落【０００３】に記載されているように、「乾燥させた空気をタンク内に強制的に送り、内壁の塗装の乾燥を早める」ための熱交換式除湿装置という技術分野のものであり、更にその発明の解決しようとする課題の一つは、同段落【００１２】に記載されているように、「除湿ロータの外に、顕熱ロータを設けるようにしたため、冷却装置でのみ冷却されていた除湿済処理空気の熱を、加熱装置で加熱される外気に、有効に熱変換して利用し、加熱装置および冷却装置の消費電力を節減する」ことであって、そのため本件特許請求の範囲の請求項１に係る発明は、「外気を取入れる空気取込口と、所定の除湿を行う潜熱交換器と、所定の熱交換を行う顕熱交換器と、前記顕熱交換器を通過した処理済空気を冷却する冷却装置と、この除湿され、かつ、冷却された空気を船舶のタンク等に送り込む給気口とを有する処理室と、空気再生用の外気を取入れる外気取込口と、前記処理室内の空気との間で熱交換を行う顕熱交換器と、該顕熱交換器を経た空気に所定の加熱をする加熱装置と、その加熱された空気を、前記処理室内の空気との間で除湿、熱交換を行う潜熱交換器と、除湿、熱交換の結果、湿気を含む空気を排出する再生空気排出口とを有する再生室とからなる」という構成を採るのに対し、前記甲第１号証の刊行物に記載のものは、室内を快適な状態にするため湿度を調節する空調装置という技術分野のものであって、その構成も熱移転ホイール，湿気移転ホイール，加熱器，水分を含んだホイールを各々有し、室内から循環空気を取り入れ、湿気移転ホイールと熱移転ホイールを通過させた後、更に水分を含んだホイールを通過させることによって循環空気中に水分を蒸発させて冷却し、湿度を調節することによって室内を快適な状態にすることを特徴とするものであり、また、前記甲第２号証の刊行物に記載のものは、オフィスビルや店舗等の空調システムという技術分野のものであって、その構成も乾燥ホイール，空気−空気熱交換器，加熱器，間接蒸発冷却器，直接蒸発冷却器を各々有し、取り入れた外気と建物空間から空気を混合した循環空気を乾燥ホイールと空気−空気熱交換器を通過させた後、間接蒸発冷却器で冷却し、更に直接蒸発冷却器を通過させることによって、循環空気中に水分を蒸発させて加湿冷却することを特徴とするものであって、前記甲第１号証の刊行物および前記甲第２号証の刊行物に記載のもののいずれも、本件の特許請求の範囲の請求項１に係る発明とは、その発明の属する技術分野においても異なり、その構成をみても、前記甲第１号証の刊行物および前記甲第２号証の刊行物に記載のものは、そのような空調装置乃至空調システムという技術分野であるが故に循環空気を再度室内に排出する直前の過程で水分を含んだホイールまたは直接蒸発冷却器を通過させることにより、循環空気中に水分を蒸発させて加湿冷却するという構成を採るもので、このような構成の点からも、乾燥させた空気を送り込むための熱交換式除湿装置という、本件の特許請求の範囲の請求項１に係る発明とは異なると言える。
　そして、本件の特許請求の範囲の請求項１に係る発明における先に述べた点の構成が、本件特許明細書の発明の詳細な説明中の段落【００２８】に記載されているように「このように新しい乾燥空気を送風して、この乾燥空気に水分等を吸収させてタンク内から排出することにより、タンク内の塗装を外気の環境に左右されず、塗装の有する適正な乾燥速度に制御して乾燥させる」という作用を有し、また同【発明の効果】の項に記載されているように、「本発明の熱交換式除湿装置によると、潜熱交換器を設けるようにしたため、外気の湿度を低減し、乾燥した空気を得て、次に、乾燥した空気を、顕熱交換器により、温度を低くするようにし、」「同容量の空気を除湿する場合には、それらの加熱装置、冷却装置に消費する消費電力を節約することができる。」という効果を有するものと言える。
　したがって、本件の特許請求の範囲の請求項１に係る発明は、前記甲第１号証および甲第２号証の各刊行物に記載された発明と同一であり、特許法第２９条第１項第３号に該当し、特許を受けることができないし、また、前記甲第１号証および甲第２号証の各刊行物に記載されたれた発明に基づいて当業者が容易に発明をすることができたものであるから、特許法第２９条第２項の規定により特許を受けることができない、とする特許異議申立人の上記主張は採用することができない。
　次に、本件の特許請求の範囲の請求項２に係る発明は、同特許請求の範囲の請求項１に係る発明の構成を更に限定したものであるが、同請求項１に係る発明については、既に述べたように、前記甲第１号証および甲第２号証の各刊行物に記載された発明と同一であるとすることができないし、また、前記甲第１号証および甲第２号証の各刊行物に記載されたれた発明に基づいて当業者が容易に発明をすることができたものともすることはできないから、同請求項２に係る発明と前記甲第１号証および甲第２号証の各刊行物に記載されたれた発明とを比較検討するまでもなく、同請求項２に係る発明は、前記甲第１号証および甲第２号証の各刊行物に記載されたれた発明と同一であり、特許法第２９条第１項第３号に該当し、特許を受けることができないし、また、前記甲第１号証および甲第２号証の各刊行物に記載されたれた発明に基づいて当業者が容易に発明をすることができたものであるから、特許法第２９条第２項の規定により特許を受けることができない、とする特許異議申立人の上記主張は採用することができない。
（ロ）について
　本件の特許請求の範囲の請求項３に係る発明と前記甲第３号証および甲第４号証の各刊行物に記載のものとを比較すると、本件の特許請求の範囲の請求項３に係る発明においては、その発明の属する技術分野は、特許明細書の発明の詳細な説明中の段落【０００１】に記載されているように、「船内船艙の塗装工事に係る温度と湿度を管理する熱交換式除湿装置に関する」ものであり、より具体的には同段落【０００３】に記載されているように、「乾燥させた空気をタンク内に強制的に送り、内壁の塗装の乾燥を早める」ための熱交換式除湿装置という技術分野のものであり、更にその発明の解決しようとする課題の一つは、同段落【００１２】に記載されているように、「除湿ロータの外に、顕熱ロータを設けるようにしたため、冷却装置でのみ冷却されていた除湿済処理空気の熱を、加熱装置で加熱される外気に、有効に熱変換して利用し、加熱装置および冷却装置の消費電力を節減する」ことであって、そのため本件特許請求の範囲の請求項３に係る発明は、「外気を取入れる空気取込入口と、所定の除湿を行う潜熱交換器と、前記潜熱交換器を通過した処理済空気を冷却する冷却装置と、この除湿され、かつ、冷却された空気を船舶のタンク等に送り込む給気口とを有する処理室と、空気再生用の外気を取入れる外気取込口と、該取入れた外気に所定の加熱をする加熱装置と、その加熱された空気を、前記処理室内の空気との間で除湿、熱交換を行う潜熱交換器と、除湿、熱交換の結果、高温で、かつ、湿気を含む空気を排出する再生空気排出口とを有する再生室と、前記空気再生用の外気を取入れる外気取込口に設けられた該外気と、前記再生空気排出口から排出される高温で、かつ、湿気を含む空気との間で熱交換を行う直交型熱交換器とを有する」という構成を採るのに対し、前記甲第３号証の刊行物に記載のものは、室内の空調システムという技術分野のものであって、その構成も第１湿気交換器，第２湿気交換器，二つの熱交換器，加熱器，蒸発パッドを各々有し、室内から循環空気を取り入れ、第１湿気交換器と第２湿気交換器と一つの熱交換器を順次通過させた後、再度第１湿気交換器を通過させて冷却し、更に蒸発パッドを通過させることによって、空気中に水分を蒸発させて加湿冷却することを特徴とするものであり、また、前記甲第４号証の刊行物に記載のものは、車輌の空調機という技術分野のものであって、その構成もフィルター，乾燥室，直交型熱交換器，二つの超音波加湿器を各々有し、取り入れた外気をフィルターと乾燥室と直交型熱交換器を通過させた後、一つの加湿器を通過させて空気を加湿冷却し運転室内に供給することを特徴とするものであって、前記甲第３号証の刊行物および前記甲第４号証の刊行物に記載のもののいずれも、本件の特許請求の範囲の請求項３に係る発明とは、その発明の属する技術分野においても異なり、その構成をみても、前記甲第３号証の刊行物および前記甲第４号証の刊行物に記載のものは、そのような空調システム乃至空調機という技術分野であるが故に空気を室内に排出する直前の過程で水分を含んだ蒸発パッドまたは超音波加湿器を通過させることにより、空気中に水分を蒸発させて加湿冷却するという構成を採るもので、このような構成の点からも、乾燥させた空気を送り込むための熱交換式除湿装置という、本件の特許請求の範囲の請求項３に係る発明とは異なると言える。
　そして、本件の特許請求の範囲の請求項３に係る発明における先に述べた点の構成が、本件特許明細書の発明の詳細な説明中の段落【００２８】に記載されているように、「このように新しい乾燥空気を送風して、この乾燥空気に水分等を吸収させてタンク内から排出することにより、タンク内の塗装を外気の環境に左右されず、塗装の有する適正な乾燥速度に制御して乾燥させる」という、また、同段落【００３６】に記載されているように、「この直交型熱交換器２７において、吸入された空気と、再生すべき外気との間で、熱交換を行い、上記第１の実施例に係る熱交換式除湿装置１をはじめとする、従来の熱交換式除湿装置４０では、廃棄していた再生後の空気の熱を再利用する」という作用を有し、その上、同【発明の効果】の項に記載されているように、「本発明の熱交換式除湿装置によると、潜熱交換器を設けるようにしたため、外気の湿度を低減し、乾燥した空気を得て、次に、乾燥した空気を、顕熱交換器により、温度を低くするようにし、さらに、この除湿および熱交換において、排出する空気を循環させて、その温度を再利用するようにしたので、効率よく、空気の除湿ができ、したがって、同容量の空気を除湿する場合には、それらの加熱装置、冷却装置に消費する消費電力を節約することができる。」という効果を有するものと言える。
　したがって、本件の特許請求の範囲の請求項３に係る発明は、前記甲第３号証および甲第４号証の各刊行物に記載された発明に基づいて当業者が容易に発明をすることができたものであるから、特許法第２９条第２項の規定により特許を受けることができない、とする特許異議申立人の上記主張は採用することができない。
（５）むすび
　以上の通りであるから、特許異議申立ての理由（イ）、（ロ）およびその証拠によっては、本件の特許請求の範囲の請求項１乃至請求項３に係る発明の特許を取り消すことはできない。
　また、他に本件の特許請求の範囲の請求項１乃至請求項３に係る発明の特許を取り消すべき理由を発見しない。
　よって、結論のとおり決定する。
【異議決定日】
平成１１年７月２７日（１９９９．７．２７）
【訂正の要旨】
（１）特許請求の範囲の請求項２に記載の「前記顕熱ローターエレメントが、前記再生室の外気取込口から取入れられた空気を通過する際に、該エレメントに蓄熱する一方、該エレメントは、熱を奪われた分だけ、その周囲の温度を低下させ」を「前記顕熱ローターエレメントは、前記再生室の外気取込口から取入れられた空気が通過する際に、該エレメントから放熱する一方、該エレメントは、熱を奪われた分だけ、その周囲の温度を上昇させ」に訂正する。
　同請求項２に記載の「該再生室内の空気の温度により、該エレメントに付着する湿気（水分）を蒸発させて、周囲の空気を低湿にする」を「該再生室内の空気の温度により、該エレメントに付着する湿気（水分）を蒸発させて、周囲の空気を高湿にする」に訂正する。
（２）発明の詳細な説明の段落【００１４】に記載の「また、本願請求項２に記載の熱交換式除湿装置は、請求項１に記載の熱交換式除湿装置に係り、前記潜熱交換器は、前記処理室と前記再生室に渡って回転可能に設けられた除湿ローターエレメントを有し、前記顕熱交換器は、前記前記処理室と前記再生室に渡って回転可能に設けられた顕熱ローターエレメントを有し、前記顕熱ローターエレメントが、前記再生室の外気取込口から取入れられた空気を通過する際に、該エレメントに蓄熱する一方、該エレメントは、熱を奪われた分だけ、その周囲の温度を低下させ、その後、前記顕熱ローターエレメントの熱を奪われた部分が、回転して、処理室内に移動した際には、処理室内の空気から熱を奪い、処理室内の空気の温度を低下させ、一方、前記潜熱交換器の前記除湿ローターエレメントが、前記処理室を通過する際には、該処理室内の空気から、その湿気（水分）を該エレメントに吸湿させ、周囲を乾燥した空気とする一方、該エレメントが、前記再生室を通過する際には、該再生室内の空気の温度により、該エレメントに付着する湿気（水分）を蒸発させて、周囲の空気を低湿にするようにしたことを特徴とする。」を「また、本願請求項２に記載の熱交換式除湿装置は、請求項１に記載の熱交換式除湿装置に係り、前記潜熱交換器は、前記処理室と前記再生室に渡って回転可能に設けられた除湿ローターエレメントを有し、前記顕熱交換器は、前記前記処理室と前記再生室に渡って回転可能に設けられた顕熱ローターエレメントを有し、前記顕熱ローターエレメントは、前記再生室の外気取込口から取入れられた空気が通過する際に、該エレメントから放熱する一方、該エレメントは、熱を奪われた分だけ、その周囲の温度を上昇させ、その後、前記顕熱ローターエレメントの熱を奪われた部分が、回転して、処理室内に移動した際には、処理室内の空気から熱を奪い、処理室内の空気の温度を低下させ、一方、前記潜熱交換器の前記除湿ローターエレメントが、前記処理室を通過する際には、該処理室内の空気から、その湿気（水分）を該エレメントに吸湿させ、周囲を乾燥した空気とする一方、該エレメントが、別記再生室を通過する際には、該再生室内の空気の温度により、該エレメントに付着する湿気（水分）を蒸発させて、周囲の空気を高湿にするようにしたことを特徴とする。」に訂正する。
　同発明の詳細な説明の段落【００２４】中の「上部を通過すると、この空気から、前記顕熱ロータエレメントを「上部を通過すると、この空気が、前記顕熱ロータエレメント」に訂正する。
（３）発明の詳細な説明の段落【００２７】中に記載の「この高温、低湿度の空気によって、空気の熱が、ロータエレメント１５ａに吸熱され、ロータエレメント１５ａの温度が高まる一方」を「この高温、低湿度の空気によって、空気の熱が、ロータエレメント１４ａに吸熱され、ロータエレメント１４ａの温度が高まる一方」と、符号について訂正する。
　同発明の詳細な説明の段落【００２８】中に記載の「冷却器１０」を「冷却器６」と、符号について訂正する。
（５４）【発明の名称】
熱交換式除湿装置
（５７）【特許請求の範囲】
　【請求項１】　外気を取り入れ、除湿された空気を排出する除湿装置において、
　外気を取入れる空気取込口と、所定の除湿を行う潜熱交換器と、所定の熱交換を行う顕熱交換器と、前記顕熱交換器を通過した処理済空気を冷却する冷却装置と、この除湿され、かつ、冷却された空気を船舶のタンク等に送り込む給気口とを有する処理室と、
　空気再生用の外気を取入れる外気取込口と、前記処理室内の空気との間で熱交換を行う顕熱交換器と、該顕熱交換器を経た空気に所定の加熱をする加熱装置と、その加熱された空気を、前記処理室内の空気との間で除湿、熱交換を行う潜熱交換器と、除湿、熱交換の結果、湿気を含む空気を排出する再生空気排出口とを有する再生室とからなることを特徴とする熱交換式除湿装置。
　【請求項２】　前記潜熱交換器は、前記処理室と前記再生室に渡って回転可能に設けられた除湿ローターエレメントを有し、前記顕熱交換器は、前記前記処理室と前記再生室に渡って回転可能に設けられた顕熱ローターエレメントを有し、
　前記顕熱ローターエレメント
は
が
から放熱
上昇
高
　【請求項３】　外気を取り入れ、除湿された空気を排出する除湿装置において、外気を取入れる空気取込口と、所定の除湿を行う潜熱交換器と、前記潜熱交換器を通過した処理済空気を冷却する冷却装置と、この除湿され、かつ、冷却された空気を船舶のタンク等に送り込む給気口とを有する処理室と、
　空気再生用の外気を取入れる外気取込口と、該取入れた外気に所定の加熱をする加熱装置と、その加熱された空気を、前記処理室内の空気との間で除湿、熱交換を行う潜熱交換器と、除湿、熱交換の結果、高温で、かつ、湿気を含む空気を排出する再生空気排出口とを有する再生室と、
　前記空気再生用の外気を取入れる外気取込口に設けられた該外気と、前記再生空気排出口から排出される高温で、かつ、湿気を含む空気との間で熱交換を行う直交型熱交換器とを有することを特徴とする熱交換式除湿装置。
【発明の詳細な説明】
　　　【０００１】
　【発明の属する技術分野】
　本発明は、船内船艙の塗装工事に係る温度と湿度を管理する熱交換式除湿装置に関するものである。
　　　【０００２】
　【従来の技術】
　タンカーその他の船舶において、船体に設けられた船艙は、腐食を防ぐために、建造時に、あるいは、建造後のメンテナンスの際に、船艙内壁を塗装している。しかしながら、貨物運搬船の船艙は、特に、タンカー等の液体貨物運搬船の船艙（以下、単に「タンク」という。）は、上甲板にハッチを有しているのみで、タンク内はほとんど、閉空間に近い状態にあり、タンク壁が結露したり、タンク内壁に塗装を施したとしても、外気の温度、湿度に左右されて、その施した塗装に品質不良が発生するという問題を有していた。
　　　【０００３】
　そこで、従来は、塗装を施したタンク内の塗装を乾かすために、図４に示すような構成の熱交換式除湿装置を用いて、乾燥させた空気をタンク内に強制的に送り、内壁の塗装の乾燥を早めることが行なわれていた。
　図４は、従来、この種のタンク内壁の乾燥に使用される熱交換式除湿装置の概略を示すものであり、図中、４０は、熱交換式除湿装置であり、４２は、除湿ロータ、４３は、再生室、４４は、処理室、４５は、外気取込口、４６は、ヒータ、４７は、排気ファン、４８は、排出口、４９は、処理空気取込口、５０は、給気送風ファン、５１は、水冷クーラである。なお、１００は、船舶、１０１は、その船舶１００に設けられたタンク、１０２は、タンク１０１に出入するハッチである。
　　　【０００４】
　この種の熱交換式除湿装置４０は、外気を取り込み、この外気を冷却して、乾燥した空気を船舶等のタンクに供給する処理室４４を有することが特徴であり、これを効率的に行わしめるために、上記、従来の熱交換式除湿装置４０では、前記処理室４４近傍に、外気を導入し、その外気の有する熱を利用して、前記処理室４４内の空気を除湿する前記再生室４３を設け、この再生室４３と、前記処理室４４との間に除湿ロータ４２を設ける一方、再生室４３内にヒータ４６を設け、前記再生室４３における除湿の効果を高めようとするものである。
　　　【０００５】
　すなわち、この再生室４３および処理室４４には、再生室４３および処理室４４の間に渡って回転する円筒形の除湿ロータエレメント（図示外）を有する除湿ロータ４２が配置され、除湿ロータ４２の上部は、再生室４３に位置し、下部は、処理室４４に位置し、この再生室４３および処理室４４の間で、その室内の空気の温度差と湿度差を利用して、両室内の空気の間に熱交換を行わせしめるよう構成されている。
　　　【０００６】
　次に、上記、従来の熱交換式除湿装置４０に使用される除湿ロータ４２の仕組みと、その除湿原理について、説明する。
　この種の除湿ロータ４２は、図５（ａ）に示すように、円筒形の除湿ロータエレメント４２ａが、回転軸を中心に回転するように構成されており、この除湿ロータエレメント４２ａは、上部には再生室の空気が通過するように、また、その下部には処理室の空気が通過するように構成される。そして、駆動モータ４２ｂの駆動により１０ｒｐｍ〜２０ｒｐｍで回転するように構成されているものである。
　　　【０００７】
　また、ここで使用される除湿ロータエレメント４２ａは、図５（ｂ）、（ｃ）に示すように、例えば、直径１００ｍｍ〜４，５００ｍｍ、巾５０ｍｍ〜４００ｍｍの円筒形を有し、また、その材質は、高純度のアルミ等のシートに耐腐食処理を施し、その表面には、シリカエロゲル粒子等の吸湿剤を焼き付けコーティングを施したコルゲート（波板）４２ｊおよびライナー（平板）４２ｋとが交互に積層して構成され、その表面積が大きくなるようにハニカム状に構成されている。前記の例によれば、その表面積は、２０００ｍ２／ｍ３〜３０００ｍ２／ｍ３程度の表面積を有する。
　また、除湿ロータエレメント４２ａを形成するコルゲート４２ｊ、ライナー４２ｋの表面に施された吸湿剤４２ｉは、数十オングストロームの無数の孔が存在しており、この孔が通過する空気中の水分を受けて乾燥空気が作られるものである。
　　　【０００８】
　このように構成された除湿ロータエレメント４２ａは、例えば、上方域で、高温・常湿の空気が送風されて、除湿ロータ４２のハニカム状の除湿ロータエレメント４２ａを通過すると、この空気に含まれている熱は、シート４２ｈの表面の吸湿剤４２ｉの孔に付着した水分を蒸発させる。そうすると、周囲の空気の温度は、水分の蒸発熱を奪い、周囲を冷却する一方、除湿ロータエレメント４２ａのシート４２ｈには、蓄熱される。
　　　【０００９】
　一方、上記エレメント４２ａが、常温常湿の空気が存在する下方域に移動すると、前記除湿ロータエレメント４２ａは、この常温、常湿の空気に接触し、この域の空気に含まれる水分（湿気）は、乾燥した前記除湿ロータエレメント４２ａの吸湿剤４２ｉに付着し、すなわち、除湿ロータエレメント４２ａに蓄熱された熱が、発散され、除湿ロータエレメント４２ａに水分が吸着し、ここで、第２の熱交換がされる。このように、除湿ロータエレメント４２ａが回転して除湿処理と再生処理を繰り返すことにより、連続して除湿された給気を得ることができるものである。
　　　【００１０】
　【発明が解決しようとする課題】
　しかしながら、上記した除湿ロータ４２を備えた熱交換式除湿装置では、単に、除湿ロータ４２からの空気をヒータ４６で暖め、しかる後、水冷クーラ５１を用いて冷却していたので、効率が悪く、しかも、大容量のものを用いなければならないため、別装置となることが多く、当該除湿装置４０に、一体に組込むことは困難が伴った。このため、特に装置の移動時には、当該除湿装置４０と水冷クーラ５１等を別々に運び、移動先にて再度組み立てなければならないという不必要な作業を強いられていた。
　　　【００１１】
　また、外気を加熱するためのヒータ４６は、通常、１７５ｋＷＨのものを使用し、乾燥空気を冷却するための水冷クーラ５１に、４６．４ｋＷＨのものを使用した場合には、全体で２４５．８ｋＷＨの電力を必要とするため、大電力容量の除湿装置を、複数のタンク内の塗装乾燥に使用するためには、莫大な電力エネルギーを必要としていた。
　　　【００１２】
　本発明は、上記従来の事情に鑑みてなされたもので、熱交換式除湿装置に、除湿ロータの外に、顕熱ロータを設けるようにしたため、冷却装置でのみ冷却されていた除湿済処理空気の熱を、加熱装置で加熱される外気に、有効に熱変換して利用し、加熱装置および冷却装置の消費電力を節減するとともに、電力消費の少ない小形のクーラおよびヒータを用いることにより、これを一体に仕上げ、搬送等に便利な熱交換式除湿装置を提供することを目的とする。
　　　【００１３】
　【課題を解決するための手段】
　本願請求項１に記載の熱交換式除湿装置は、外気を取り入れ、除湿された空気を排出する除湿装置において、外気を取入れる空気取込口と、所定の除湿を行う潜熱交換器と、所定の熱交換を行う顕熱交換器と、前記顕熱交換器を通過した処理済空気を冷却する冷却装置と、この除湿され、かつ、冷却された空気を船舶のタンク等に送り込む給気口とを有する処理室と、空気再生用の外気を取入れる外気取込口と、前記処理室内の空気との間で熱交換を行う顕熱交換器と、該顕熱交換器を経た空気に所定の加熱をする加熱装置と、その加熱された空気を、前記処理室内の空気との間で除湿、熱交換を行う潜熱交換器と、除湿、熱交換の結果、湿気を含む空気を排出する再生空気排出口とを有する再生室とからなることを特徴とする。
　　　【００１４】
　また、本願請求項２に記載の熱交換式除湿装置は、請求項１に記載の熱交換式除湿装置に係り、前記潜熱交換器は、前記処理室と前記再生室に渡って回転可能に設けられた除湿ローターエレメントを有し、前記顕熱交換器は、前記前記処理室と前記再生室に渡って回転可能に設けられた顕熱ローターエレメントを有し、前記顕熱ローターエレメント
は
が
から放熱
上昇
　　　【００１５】
　さらに、請求項３に記載の熱交換式除湿装置は、外気を取り入れ、除湿された空気を排出する除湿装置において、外気を取入れる空気取込口と、所定の除湿を行う潜熱交換器と、前記潜熱交換器を通過した処理済空気を冷却する冷却装置と、この除湿され、かつ、冷却された空気を船舶のタンク等に送り込む給気口とを有する処理室と、空気再生用の外気を取入れる外気取込口と、該取入れた外気に所定の加熱をする加熱装置と、その加熱された空気を、前記処理室内の空気との間で除湿、熱交換を行う潜熱交換器と、除湿、熱交換の結果、高温で、かつ、湿気を含む空気を排出する再生空気排出口とを有する再生室と、前記空気再生用の外気を取入れる外気取込口に設けられた該外気と、前記再生空気排出口から排出される高温で、かつ、湿気を含む空気との間で熱交換を行う直交型熱交換器とを有することを特徴とする。
　　　【００１６】
　【発明の実施の形態】
　本発明の熱交換式除湿装置において、再生室内には、常温、常湿の外気が取り込まれ、顕熱ロータを通過するとき、処理室で高熱を蓄熱して回転してきた顕熱ロータエレメントの熱を得て加熱装置に送られる。外気は加熱装置によりさらに加熱されて、除湿ロータを通過する。そして、除湿ロータエレメントに吸湿された水分は、蒸発して除湿ロータエレメント外に吹き出され再生空気排出ファンより熱交換式除湿装置外に排出され、同時に、除湿ロータエレメントは高熱を得る。
　　　【００１７】
　つぎに、処理室内に、常温、常湿の処理空気が取り込まれ、再生室で高熱を蓄熱した除湿ロータを通過する。この処理空気が通過すると、除湿ロータの除湿ロータエレメントが、処理空気に含有されている水分を吸湿し、そして、処理空気は、除湿ロータエレメントに蓄熱された熱を得る。
　そして、除湿された処理済空気は、処理済空気送風ファンにより、再生室で低温となった顕熱ロータの顕熱ロータエレメントに送風されて通過すると、処理済空気は、顕熱ロータエレメントに熱を奪われて冷却される。この冷却された処理済空気は、冷却装置により、さらに冷却され、該熱交換式除湿装置外に給気として送風されるものである。
　　　【００１８】
　【実施例】
　以下、本発明に係る熱交換式除湿装置の一実施例を図面に基づいて詳細に説明する。
　図１は、本願実施例に係る熱交換式除湿装置を示す概略構成図であり、図２は、本願実施例に係る熱交換式除湿装置の完成斜視図である。
　図中、１は、熱交換式除湿装置、２は、筐体、３は、処理空気を吸入する空気取込口、４は、この空気を高温、かつ、乾燥させた後、これを冷却して船舶のタンク内に給気する処理室であり、５は、処理された空気を送るファン、６は、処理された空気を冷却する冷却器、７は、再生室、１６は、給気ファン、８は、船舶のタンク内等に処理空気を給気する給気口である。
　　　【００１９】
　また、９は、前記処理室４内の空気と熱交換させるため、外部の空気を取入れる用に別途設けられた外気取込口であり、１０は、取入れた外気を加熱する加熱器、１１は、熱交換された再生空気を外部に排出するファンであり、１２は、そのための放出口である。
　また、符号１４は、前記処理室４と前記再生室７との間において、所定の熱交換をする顕熱交換器であり、１５は、同様に、前記処理室４と前記再生室７との間において、所定の熱交換をする潜熱交換器である。
　　　【００２０】
　筐体２は、鋼板からなる長方体形状を有するものであり、本実施例においては、長さ約７．８ｍ、奥行き約２．３ｍ、高さ約２．４ｍの側壁２ａを有する。
　前記匡体２は、基本的には、処理空気を吸引し、この空気を高温にさせて、しかる後、所定の冷却をした後、船舶のタンク内に給気する処理室４と、別途に設けた外気取込口９からの外気温度により、処理室４内の空気の温度および湿度に関し、所定の熱交換を行い、処理室４内の空気を再生する再生室７とからなる。
　　　【００２１】
　前記処理室４は、処理空気を吸入する空気取込口３を有し、この空気取込口３から吸入された空気は、ファン５によって送られ、さらに、この空気を冷却器６で冷却して、その後、給気口８を介して、給気ファン１６にて、図示外船舶のタンク内等に処理空気を給気するものである。
　また、前記再生室７は、前記処理室４との間で、空気中の水分の授受を行い、処理室４の処理能力を高めるために設けられるもので、前記処理室４との間に前記顕熱交換器１４と、前記潜熱交換器１５とが設けられているものである。そして、この再生室７内には、前記水分の授受の能力を、より高めるため、加熱器１０が設けられており、前記顕熱交換器１４を通った空気を、さらに、加熱して前記潜熱交換器１５に送るものである。
　本実施例に使用した顕熱交換器１４は、従来の除湿ロータ４２と同様に、一体化されており、その内部には円筒形状の顕熱ロータエレメント１４ａが、前記処理室４と前記再生室７との間を回転可能に配置されている。
　　　【００２２】
　この顕熱ロータエレメント１４ａは、２０００ｍｍ、巾３００ｍｍの円筒形をなしており、セラミック焼成エレメントの素材からなるシートをコルゲート（波形）に加工して、このコルゲート（波形）を回転軸受穴を基点として円筒形に巻き付けて、このシートに通過する空気中の水分の吸着性に優れた材質をはりあわせてエレメント１４ａとして形成している。なお、本実施例においては、円筒形の顕熱ロータエレメント１４ａを使用したが、これは、扇形のものを、複数結合するようにしてもよいし、また、全体を、コルゲート状ではなくて、ハニカム状に構成してもよく、また、セラミック焼成の代りに、合成樹脂シート、アルミシート、ステンレスシート等を使用してもよい。
　　　【００２３】
　また、潜熱交換器１５は、前記の顕熱交換器１４と同様、一体化されており、その内部には、円筒形状の除湿ロータエレメント１５ａが設けられ、これが、前記処理室４および再生室７の間に回転可能に配置されており、本実施例装置では、直径、２，０００ｍｍ、巾３００ｍｍの円筒形の除湿ロータエレメント１５ａが使用され、この除湿ロータエレメント１５ａも、前記顕熱ロータエレメント１４ａと、同様に、セラミック焼成エレメントの素材からなるシートをコルゲート（波形）に加工して、このコルゲート（波形）を回転軸受穴を基点として円筒形に巻き付けて、このシートに通過する空気中の水分の吸着性に優れた材質を貼り合わせてエレメント１５ａとして形成している。
　　　【００２４】
　ここで、前記顕熱交換器１４および前記潜熱交換器１５とが、それぞれ、前記処理室４と前記再生室７との間で、熱交換をする状況について説明する。
　まず、前記再生室７の外気取込口９から取入れられた空気（常温常湿の空気で、仮に、図に表示するように、３２℃、２１．２３ｇ／ｋｇの空気であったとすると）が、前記顕熱ロータエレメント１４ａの上部を通過すると、この空気
が
　　　【００２５】
　一方、該顕熱交換器１４で高温になった空気は、再生室７内の加熱器１０で加熱され、加熱後の空気は、１４０℃、２１．２３ｇ／ｋｇの、さらに、高温の空気となる。
　そして、前記加熱器１０で加熱された空気（１４０℃、２１．２３ｇ／ｋｇ）は、前記潜熱交換器１５の除湿ロータエレメント１５ａを通過する際に、該エレメント１５ａに熱を奪われ、通過後の空気は、５１℃、４４．８１ｇ／ｋｇの空気となり、前記ファン１１により、放出口１２から外部に排出される。そして、前記エレメント１５ａは、熱を奪った分だけ、熱を得ていることになる。
　　　【００２６】
　このような再生室７における空気に熱の授受が行われている間に、前記処理室４では、前記空気取込口３から、外気（３２℃、２１．２３ｇ／ｋｇ）を取入れている。この取入れられた空気は、前記潜熱交換器１５を通過する際に、前述したように、再生室７の空気から熱を得、かつ、半回転して、処理室４内に位置している前記除湿ロータエレメント１５ａと接触して、この温度が高くなっているエレメント１５ａから熱を得て、これを通過した後には、６２℃、１３．２３ｇ／ｋｇの空気となる。すなわち、この段階で、この処理室４内の、この領域の空気は、高温で、かつ、湿度の低い、いわゆる、乾燥した空気が生成されている。
　　　【００２７】
　次に、この高温で乾燥した空気（６２℃、１３．２３ｇ／ｋｇ）は、前記顕熱交換器１４を通過することになる。高温低湿度の空気が、前記顕熱交換器１４の顕熱ロータエレメント１４ａと接触すると、この顕熱ロータエレメント１４ａは、前述したように、前記再生室７で熱を奪われ、その状態で、半回転して、該処理室４内にあるので、低温になった顕熱ロータエレメント１４ａと、この高温、低湿度の空気によって、空気の熱が、ロータエレメント
１４ａ
１４ａ
　　　【００２８】
　そして、この乾燥、低温の空気は、次の、冷却器
６
　このようにして作られた乾燥した低湿度の空気をタンカーのタンク内塗装の乾燥に使用するには、熱交換式除湿装置１の給気口８に図示外のパイプ等の一端を接続し、他の一端をタンカーのタンク上部に設けられたハッチから塗装後のタンク内に配置する。そして、該タンク内の塗料から蒸発した水分、あるいは、油分を含んだ空気は、タンカーに設けられた別のハッチから該タンク外に送りだされる。このように新しい乾燥空気を送風して、この乾燥空気に水分等を吸収させてタンク内から排出することにより、タンク内の塗装を外気の環境に左右されず、塗装の有する適正な乾燥速度に制御して乾燥させるものである。
　　　【００２９】
　本実施例においては、前記加熱器１０としては、２５ｋＷの電気加熱装置（図示外）を６個、２０ｋＷの電気加熱装置（図示外）を２個使用し、また、冷却器６には、その内部に冷水パイプ１７が、その接触表面積が大きくなるように配置され、かつ、熱交換された冷却剤が、冷水ポンプ１８により、循環して冷却する構造のチーリングユニットを備えたので、この点からも、冷却効率が上昇したものである。
　　　【００３０】
　そして、本実施例においては、前記再生室７に設けられる余熱排出ファン１３としては、送風量１８０ｍ３／ｍｉｎ、３５ｍｍＡｑ、消費電力３．７ｋＷのファンを使用し、水分の多く含んだ再生空気の排出ファン１１としては、送風量９５ｍ３／ｍｉｎ、５５ｍｍＡｑ、消費電力３．７ｋＷのファンを使用している。
　また、前記処理室４においては、本実施例では、前記送風ファン５として、送風量２５０ｍ３／ｍｉｎ、５５ｍｍＡｑ、消費電力５．５ｋＷのものを、さらに、給気送風ファン１６は、送風量２５０ｍ
３
　　　【００３１】
　なお、本実施例においては、該装置１の運転操作を行うため、操作盤を設け、この操作盤には、開閉可能なドアが設けられており、操作時以外にはドアが閉じられて誤動作等が発生しないように構成されている。
　このような構成の熱交換式除湿装置１としたことにより、除湿効率を著しく高めることができ、その分、従来の熱交換式除湿装置と比較して、本実施例に係る熱交換式除湿装置では、その電力エネルギーを著しく軽減することができた。これを整理して表に示すと以下の表１のごとくになる。
　【表１】
　　　【００３２】
　このように、従来の熱交換式除湿装置に比して、顕熱交換器１４を設けたことにより、増加した消費電力は６．２５ｋＷであるが、加熱器１０の減少分は３２ｋＷであり、冷却装置（チーリングユニット１９と冷水ポンプ１８）の消費電力の減少分は、２５．７ｋＷとなる。これらのトータル消費電力は、従来型で２４５．８ｋＷ、本実施例では、１９４．３５ｋＷであり、従来の熱交換式除湿装置４０に比べ、本願実施例の熱交換式除湿装置１は、７９％（５１．４５ｋＷ）となり、約２０％の消費電力を節約することができる。
　　　【００３３】
　つぎに、本発明の熱交換式除湿装置に係る他の一実施例を図面に基づいて説明する。
　上記第１の実施例では、顕熱交換器を配置したものであるが、この第２の実施例では、前記顕熱交換器の代りに、直交型熱交換器を配置したものであり、この第２の実施例について、図面に基いて詳細に説明する。
　　　【００３４】
　図３は、本発明に係る第２の実施例である熱交換式除湿装置の構成を示すものであり、図３において、１５は、上記第一実施例と同様の潜熱交換器、１５ａは、同除湿ロータエレメント、２０は、本実施例に係る熱交換式除湿装置自体を示し、２１は、乾燥した空気を得るための空気取込口、２２は、その処理室、２３は、水冷クーラ、２４は、処理された乾燥空気を船舶内のタンクに給気する送風ファン、２５は、同給気口、２６は、再生用の外気の取込口、２７は、直交型熱交換器、２８は、再生室、２９は、加熱装置、３０は、前記再生室２８の空気を送風するファン、３１は、同ファン３０からの空気を、前記直交型熱交換器２７に導く再生空気通路である。
　　　【００３５】
　なお、図中、２７Ａは、前記直交型熱交換器２７に設けられる外気を取り込む取込口、２７Ｂは、同直交型熱交換器２７に設けられ、外部に再生済み空気を排出する排出口、２７Ｃは、同直交型熱交換器２７に設けられ、熱交換後の空気を装置１内に送り込む通路口、２７Ｄは、同直交型熱交換器２７に設けられ、熱交換のため装置内から空気を吸入する吸入口２７Ｄである。
　また、上記第一の実施例に用いたと同じ構成については、同一の符号を用いて説明し、その機能または作用の説明は、重複するため、その説明は、省略する。
　　　【００３６】
　本実施例に使用する直交型熱交換器２７は、外気を取り込む取込口２７Ａ、外部に再生済み空気を排出する排出口２７Ｂ、熱交換後の空気を装置１内に送り込む通路口２７Ｃおよび熱交換のため装置内から空気を吸入する吸入口２７Ｄを有し、前記通路口２７Ｃから送風される空気の熱と、前記吸入口２７Ｄから送風される再生空気の熱との間で熱交換を行うものである。すなわち、前記潜熱交換器１５から排出された空気を外部に排出せず、該直交型熱交換器２７に吸入口２７Ｄから吸入させ、この直交型熱交換器２７において、吸入された空気と、再生すべき外気との間で、熱交換を行い、上記第１の実施例に係る熱交換式除湿装置１を始めとする、従来の熱交換式除湿装置４０では、廃棄していた再生後の空気の熱を再利用するというものである。
　　　【００３７】
　つぎに、上記第２の実施例に係る熱交換式除湿装置２０を用いて、空気を除湿する様子を、図面に基いて詳細に説明する。
　外気取込口２１から、除湿すべき空気（３２℃、２１．２３ｇ／ｋｇの常温、常湿の空気）を取り入れ、これを潜熱交換器１５で、前記再生室２８の空気との間で熱交換をして、６２℃、１３．２３ｇ／ｋｇの空気を得て、しかる後、これを冷却器２３で冷却して、乾燥した空気（３１℃、１３．２３ｇ／ｋｇ）を排出して、これを船舶等のタンク内の乾燥用空気として使用する点は、前記第１の実施例に係る熱交換式除湿装置１と同じである。
　　　【００３８】
　前記第１の実施例に係る熱交換式除湿装置１と異なる点は、前記再生室２８で再生され、高温となった空気を、循環させて、再生用に取り込む外気との間で熱交換をして、再生用外気の温度を高めようというものである。
　このため、前記潜熱交換器１５から排出された空気（５１℃、４４．８１ｇ／ｋｇ）は、前記直交型熱交換器２７の吸入口２７Ｄに送り、該直交型熱交換器２７において、送り込まれた空気（前記潜熱交換器１５から排出される５１℃、４４．８１ｇ／ｋｇの空気と同じ熱エネルギーを有する。）と、再生用として、同直交型熱交換器２７の取込口２７Ａからの外気（３２℃、２１．２３ｇ／ｋｇ）との間で、熱交換を行い、同直交型熱交換器２７の通路口２７Ｃから得られる空気を、４３℃、２１．２３ｇ／ｋｇの空気まで、その温度を高めるものである。
　　　【００３９】
　そして、上記第１の実施例に係る熱交換式除湿装置１と同様に、この４３℃、２１．２３ｇ／ｋｇの空気を、前記加熱装置２９で加熱して、１４０℃、２１．２３ｇ／ｋｇの空気を発生させ、その空気を前記潜熱交換器１５に送り、ここで、前記処理室２２内の空気との間で、熱交換を行う。
　該潜熱交換器１５の内蔵する前記除湿ロータエレメント１５ａに水分を吸湿させて、周囲に熱を発散させ、また、水分を蒸発させて、その周囲の熱を吸収する仕組みの詳細は、前記第１の実施例における前記潜熱交換器１５の動作仕組みと同様であるので、その説明は、省略する。
　　　【００４０】
　なお、上記実施例では、再生室をパイプにより設けたが、本願実施例の熱交換式除湿装置内を壁等により再生室と処理室を分割して設けてもよく、各ファン、加熱装置等の能力、目的により、分割された処理室、再生室の大きさは特に規定されるものではない。
　また、上記実施例では、筐体の下部に処理室を設け、その上部に再生室を設けて該熱交換式除湿装置を構成したが、下部に再生室を設け、その上部に処理室を設けるようにしてもよい。
　なお、上記実施例における外気の取込口、排気口、処理空気入り口、除湿処理済空気排出口は、目的とする空気を得ることができれば、その位置は特定しなくてもよいものである。
　　　【００４１】
　また、上記他の実施例における再生空気通路を、筐体内に設けて再生空気を通すようにしたが、筐体外にパイプ等で設けてもよい。
　また、上記実施例では、熱交換式除湿装置で作られた乾燥空気を、タンカーのタンク内塗装の乾燥に用いたが、用途としては、その他工場、倉庫、書庫といった、大容量の建造物内の除湿用にに用いてもよいものである。
　　　【００４２】
　【発明の効果】
　以上、説明したように、本発明の熱交換式除湿装置によると、潜熱交換器を設けるようにしたため、外気の湿度を低減し、乾燥した空気を得て、次に、乾燥した空気を、顕熱交換器により、温度を低くするようにし、さらに、この除湿および熱交換において、排出する空気を循環させて、その温度を再利用するようにしたので、効率良く、空気の除湿ができ、したがって、同容量の空気を除湿する場合には、それらの加熱装置、冷却装置に消費する消費電力を節約することができる。
　　　【００４３】
　さらに、このように構成することにより、従来の、この種の除湿装置が使用する加熱装置や冷却装置を、従来のものより小形のものとすることができ、加熱装置や冷却装置を当該除湿装置内に配置して一体化することが可能となり、従来、別体として構成されていたものに比し、移動の際に、除湿装置と冷却装置を分解して別々に移動させ、移動先で再度組み立てるといった手間を要することないという効果を有する。
【図面の簡単な説明】
　【図１】
　本発明の一実施例に係る熱交換式除湿装置の構成を示した概略構成図である。
　【図２】
　本発明の一実施例に係る熱交換式除湿装置を示した完成斜視図である。
　【図３】
　本発明の他の一実施例に係る熱交換式除湿装置の構成を示した概略構成図である。
　【図４】
　従来の熱交換式除湿装置を示した概略構成図である。
　【図５】
　除湿ロータの構成を示した構成図である。
　【符号の説明】
１・・熱交換式除湿装置
２・・筐体
３・・空気取込口
４・・処理室
５・・ファン
６・・冷却器
７・・再生室
８・・給気口
９・・外気取込口
１０・・加熱器
１１・・ファン
１２・・放出口
１３・・余熱排出ファン
１４・・顕熱交換器
１４ａ・・顕熱ロータエレメント
１５・・潜熱交換器
１５ａ・・除湿ロータエレメント
１６・・給気ファン
１７・・冷水パイプ
１８・・冷水ポンプ
１９・・チーリングユニット
２０・・熱交換式除湿装置
２１・・空気取込口
２２・・処理室
２３・・水冷クーラ
２４・・送風ファン
２５・・給気口
２６・・外気取込口
２７・・直交型熱交換機
２７Ａ・・取込口
２７Ｂ・・排出口
２７Ｃ・・通路口
２７Ｄ・・吸入口
２８・・再生室
２９・・加熱装置
３０・・ファン
３１・・再生空気通路